【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
演出操作手段の操作に基づき、可動物を第１位置から第２位置に移動させた後に該第２位置から前記第１位置に移動させる往復移動を発生させる可動演出を実行可能な遊技機であって、
前記演出操作手段の操作に基づき前記可動物が前記第１位置から前記第２位置への移動を開始し、当該移動の途中で前記演出操作手段が再操作された場合には、前記第２位置への移動を経て前記可動物が前記第１位置へ所定量だけ移動した後に、前記再操作に基づく前記可動物の前記第２位置への移動を開始することを特徴とする遊技機。
【手続補正２】
【補正対象書類名】明細書
【補正対象項目名】０００７
【補正方法】変更
【補正の内容】
【０００７】
本発明の遊技機は、
演出操作手段の操作に基づき、可動物を第１位置から第２位置に移動させた後に該第２位置から前記第１位置に移動させる往復移動を発生させる可動演出を実行可能な遊技機であって、
前記演出操作手段の操作に基づき前記可動物が前記第１位置から前記第２位置への移動を開始し、当該移動の途中で前記演出操作手段が再操作された場合には、前記第２位置への移動を経て前記可動物が前記第１位置へ所定量だけ移動した後に、前記再操作に基づく前記可動物の前記第２位置への移動を開始することを特徴とする。
本発明の遊技機では、演出操作手段の操作に基づき可動物が第１位置から第２位置への移動を行っているときに演出操作手段が再操作されない場合には、可動物を第２位置（終点位置）に到達させた後、第１位置（始点位置）に向かって逆方向に動作させるだけの基本的な往復動作が実行される。一方、演出操作手段の操作に基づき可動物が第１位置から第２位置への動作を行っているときに演出操作手段が再操作されると、可動物が第２位置に到達して逆方向（第１位置方向）への移動を開始した後に、この逆方向への移動を中断し、再度、第２位置に向かって移動を開始して、新たな往復移動を開始する。
すなわち、可動物の往復移動を起動するための操作（以下、「起動操作」という。）を遊技者が演出操作手段に施し、可動物が既に往復移動を開始して第１位置から第２位置への移動を実行している状況下で、演出操作手段に再度の操作（つまり、「再操作」）が施されると、可動物が第２位置を経て第１位置方向へ所定量だけ移動した後に、再操作に基づく第２位置への動作を開始する（逆方向へ所定量だけ動作した時点を新たな起点として、往復移動を改めて開始する）。つまり、起動操作に基づいて可動物が往復移動を開始して第１位置から第２位置への移動を実行しているときに再操作が施された場合にも、進行中の往復移動の態様に明確な変化を生じさせる。このため、本発明によると、「演出操作手段に施す連続操作に可動物の動作がきちんと（感度良く）反応している」こと、すなわち「演出操作手段に施す連続操作が有効に作用（機能）している」ことを遊技者に体感させることができる。
特に、本発明の遊技機では、起動操作に伴い可動物が往復移動を開始して第１位置から第２位置への移動を実行しているときに再操作が施されることで、演出操作手段に連続操作（起動操作および再操作の順になされる連続操作）が施された状態となると、第２位置への移動を経て第１位置（始点位置の方向）へ移動している可動物が一旦第２位置の方向（終点位置の方向）に折り返した後、第１位置の方向（始点位置の方向）に移動するという特異な動作を行う。そして、この特異な動作を用いて、可動物を用いた面白みのある演出を行うことができるとともに、この特異な動作を通じて、演出操作手段に施す連続操作に可動物の動作がきちんと（感度良く）反応している印象（演出操作手段の連続操作が可動物の動作にきちんと反映されている印象）を強く与えることができる。
【手続補正３】
【補正対象書類名】明細書
【補正対象項目名】０００８
【補正方法】変更
【補正の内容】
【０００８】
また、本発明に関連する他の発明（以下、関連発明という。）の遊技機は、
演出操作手段の操作に基づき、可動物を正方向および逆方向に動作させる往復動作を発生させる可動演出を実行可能な遊技機であって、
前記演出操作手段の操作に基づき前記可動物が前記正方向への動作を開始し、その正方向への動作途中で前記演出操作手段が再操作された場合には、その正方向への動作を経て前記可動物が前記逆方向へ所定量だけ動作した後に、前記再操作に基づく前記可動物の前記正方向への動作を開始することを特徴とする。
関連発明の遊技機では、演出操作手段の操作に基づき可動物が正方向への動作を行っているときに演出操作手段が再操作されない場合には、可動物を終点位置に到達させた後、起点位置（始点位置）に向かって逆方向に動作させるだけの基本的な往復動作が実行される。一方、演出操作手段の操作に基づき可動物が正方向への動作を行っているときに演出操作手段が再操作されると、可動物が終点位置に到達して逆方向（起点位置方向）への動作を開始した後に、この逆方向への動作を中断し、再度、その終点位置に向かって正方向への動作を開始して、新たな往復動作を開始する。
【手続補正４】
【補正対象書類名】明細書
【補正対象項目名】０００９
【補正方法】変更
【補正の内容】
【０００９】
すなわち、可動物の往復動作を起動するための操作（以下、「起動操作」という。）を遊技者が演出操作手段に施し、可動物が既に往復動作を開始して正方向への動作を実行している状況下で、演出操作手段に再度の操作（つまり、「再操作」）が施されると、可動物が終点位置を経て逆方向へ所定量だけ動作した後に、再操作に基づく正方向への動作を開始する（逆方向へ所定量だけ動作した時点を新たな起点として、往復動作を改めて開始する）。つまり、起動操作に基づいて可動物が往復動作を開始して正方向への動作を実行しているときに再操作が施された場合にも、進行中の往復動作の態様に明確な変化を生じさせる。このため、関連発明によると、「演出操作手段に施す連続操作に可動物の動作がきちんと（感度良く）反応している」こと、すなわち「演出操作手段に施す連続操作が有効に作用（機能）している」ことを遊技者に体感させることができる。
【手続補正５】
【補正対象書類名】明細書
【補正対象項目名】００１０
【補正方法】変更
【補正の内容】
【００１０】
特に、関連発明の遊技機では、起動操作に伴い可動物が往復動作を開始して正方向への動作を実行しているときに再操作が施されることで、演出操作手段に連続操作（起動操作および再操作の順になされる連続操作）が施された状態となると、正方向への動作を経て逆方向（起点位置の方向）へ動作している可動物が一旦終点位置の方向（正方向）に折り返した後、起点位置の方向（逆方向）に動作するという特異な動作を行う。そして、この特異な動作を用いて、可動物を用いた面白みのある演出を行うことができるとともに、この特異な動作を通じて、演出操作手段に施す連続操作に可動物の動作がきちんと（感度良く）反応している印象（演出操作手段の連続操作が可動物の動作にきちんと反映されている印象）を強く与えることができる。
【手続補正６】
【補正対象書類名】明細書
【補正対象項目名】００１１
【補正方法】変更
【補正の内容】
【００１１】
また、関連発明の遊技機では、
前記演出操作手段の操作に基づき前記可動物が前記正方向への動作を経て前記逆方向へ動作している途中で、前記演出操作手段が再操作された場合には、該逆方向へ動作を停止して前記正方向への動作を実行する
こととしてもよい。
【手続補正７】
【補正対象書類名】明細書
【補正対象項目名】００１３
【補正方法】変更
【補正の内容】
【００１３】
更に、関連発明では、
前記可動物が前記正方向へ動作している途中で前記演出操作手段が再操作されると、当該再操作が行われたことを示す再操作情報を記憶する操作情報記憶手段と、
前記可動物が前記逆方向へ動作している途中の所定の参照タイミングで前記操作情報記憶手段を参照し、前記演出操作手段が再操作されたか否かを判断する操作判断手段と、
を備え、
前記操作判断手段が、前記操作情報記憶手段に再操作情報が記憶されていると判断すると、前記可動物が前記逆方向へ動作を停止して前記正方向への動作を再開することで前記往復動作を改めて開始する
こととしてもよい。
【手続補正８】
【補正対象書類名】明細書
【補正対象項目名】００１５
【補正方法】変更
【補正の内容】
【００１５】
また、関連発明では、
前記操作情報記憶手段に前記再操作情報が記憶されている状況の下、前記逆方向への動作途中であって前記参照タイミングが到来する前のタイミングで前記演出操作手段が再操作されると、前記操作情報記憶手段に記憶されている前記再操作情報を消去する操作情報消去手段を備える
こととしてもよい。